(57)【要約】【課題】【解決手段】  本開示は、バルブアクチュエータによって作動するように構成されている輸液制御バルブに関する。本開示は、更に、認証ユニットによってトリガされると、輸液制御バルブを作動するように構成されている輸液制御バルブに関する。更に、本開示は、物質の投与方法に関する。【選択図】図６
2008517646.tif 000002
【特許請求の範囲】
【請求項１】
認証ユニットが：
患者の詳細取得ユニットと；
液体の特性取得ユニットと；
前記詳細と前記特性の間の相関値を計算するように構成されている比較ユニットと；
前記相関値が所定の閾値より大きい場合に、輸液バルブアクチュエータを始動させるように構成されているバルブアクチュエータ制御ユニットと；
を具えることを特徴とする認証ユニット。
【請求項２】
請求項１に記載の認証ユニットにおいて、前記制御ユニットが、前記輸液バルブアクチュエータを遠隔的にトリガするように構成されていることを特徴とする認証ユニット。
【請求項３】
請求項１に記載の認証ユニットにおいて、前記患者の詳細が、患者の識別番号、患者の社会保障番号、年齢、性別、診断、前記患者にアレルギを引き起こす物質、疾患、体調、起源、病歴、医師の指示、又はこれらの任意の組み合わせを具えることを特徴とする認証ユニット。
【請求項４】
請求項１に記載の認証ユニットにおいて、前記患者の詳細が、投与の詳細を具えることを特徴とする認証ユニット。
【請求項５】
請求項１に記載の認証ユニットにおいて、前記投与の詳細が、投与量、投与のタイミング、投与速度、その他の薬剤との投与順序、又はこれらの組み合わせを具えることを特徴とする認証ユニット。
【請求項６】
請求項１に記載の認証ユニットにおいて、前記液体の特性が、液体タイプ、内容物、量、意図する投与形態、体積、色、密度、濁度、逆の指示、又はこれらの組み合わせを具えることを特徴とする認証ユニット。
【請求項７】
請求項１に記載の認証ユニットにおいて、前記液体が、生理食塩水、薬剤、医薬的組成物、血液、血液生成物、血液成分、血漿、血漿誘導体、生物学的物質、高カロリー輸液（ＴＰＮ）、又はこれらの任意の組み合わせを具えることを特徴とする認証ユニット。
【請求項８】
請求項７に記載の認証ユニットにおいて、前記薬剤が、化学療法薬剤、抗生物質、麻酔、又はこれらの組み合わせを具えることを特徴とする認証ユニット。
【請求項９】
請求項２に記載の認証ユニットにおいて、遠隔的トリガが、ＩＲ、ＲＦ、超音波、又はこれらの組み合わせを具えることを特徴とする認証ユニット。
【請求項１０】
請求項１に記載の認証ユニットにおいて、前記バルブアクチュエータが、前記アクチュエータ制御ユニットによってトリガされると、輸液制御バルブを作動させるように構成されていることを特徴とする認証ユニット。
【請求項１１】
請求項１０に記載の認証ユニットにおいて、前記輸液制御バルブが作動すると前記輸液の液体が流れるように構成されていることを特徴とする認証ユニット。
【請求項１２】
請求項１０に記載の認証ユニットにおいて、前記輸液制御バルブが作動しない場合、輸液の流れを妨げるように構成されていることを特徴とする認証ユニット。
【請求項１３】
請求項１に記載の認証ユニットにおいて、前記患者の詳細取得ユニットが、バーコード、ＲＦＩＤ、指紋認証、網膜認証、又はこれらの任意の組み合わせの手段を具えることを特徴とする認証ユニット。
【請求項１４】
請求項１に記載の認証ユニットにおいて、前記液体の特性取得ユニットが、バーコード、ＲＦＩＤ、又はこれらの任意の組み合わせの手段を具えることを特徴とする認証ユニット。
【請求項１５】
請求項１に記載の認証ユニットにおいて、前記比較ユニットが処理ユニットを具えることを特徴とする認証ユニット。
【請求項１６】
請求項１５に記載の認証ユニットにおいて、前記ユニットが、ハンドヘルドコンピュータ、固定型パソコン、又はこれらの組み合わせを具えることを特徴とする認証ユニット。
【請求項１７】
バルブアクチュエータによって作動するように構成されている輸液制御バルブにおいて、前記バルブアクチュエータが、認証ユニットによってトリガされるように構成されていることを特徴とするバルブ。
【請求項１８】
請求項１７に記載のバルブにおいて、前記バルブアクチュエータが、前記認証ユニットによって遠隔的にトリガするように構成されていることを特徴とするバルブ。
【請求項１９】
請求項１８に記載のバルブにおいて、遠隔的トリガが、ＩＲ、ＲＦ、超音波、又はこれらの任意の組み合わせの手段を具えることを特徴とするバルブ。
【請求項２０】
請求項１７に記載のバルブにおいて、前記バルブが、作動すると、輸液の液体が流れるように構成されていることを特徴とするバルブ。
【請求項２１】
請求項１９に記載のバルブにおいて、前記バルブが、キーシリンダを具えており、前記キーシリンダが、前記キーシリンダ内でキーの回転によって作動すると、輸液の液体が流れるように構成されていることを特徴とするバルブ。
【請求項２２】
請求項１７に記載のバルブにおいて、前記バルブが作動していないとき、前記バルブが輸液の液体の流れを妨げるように構成されていることを特徴とするバルブ。
【請求項２３】
請求項１７に記載のバルブにおいて、前記認証ユニットが、患者の詳細取得ユニット、液体の特性取得ユニット、前記詳細と前記特性の相関値を計算する比較ユニット、及びバルブアクチュエータ制御ユニットを具えることを特徴とするバルブ。
【請求項２４】
請求項２３に記載のバルブにおいて、前記相関値が、所定の閾値よりも高い場合に、前記アクチュエータが、前記バルブアクチュエータ制御ユニットによってトリガされるように構成されていることを特徴とするバルブ。
【請求項２５】
請求項１７に記載のバルブにおいて、前記バルブが、機械的、電気的、電気機械的、磁気的手段、又はこれらの任意の組み合わせにより、前記バルブアクチュエータによって作動するように構成されていることを特徴とするバルブ。
【請求項２６】
請求項１７に記載のバルブにおいて、前記バルブが、使い捨てであることを特徴とするバルブ。
【請求項２７】
請求項１７に記載のバルブにおいて、前記バルブが、再利用可能であることを特徴とするバルブ。
【請求項２８】
請求項１７に記載のバルブにおいて、前記バルブが、前記液体経路の外側に位置していることを特徴とするバルブ。
【請求項２９】
請求項１７に記載のバルブにおいて、前記バルブが、前記液体経路内に位置していることを特徴とするバルブ。
【請求項３０】
請求項１７に記載のバルブにおいて、前記バルブが、前記液滴チャンバの上に位置していることを特徴とするバルブ。
【請求項３１】
請求項１７に記載のバルブにおいて、前記バルブが、前記液滴チャンバの下に位置していることを特徴とするバルブ。
【請求項３２】
請求項１７に記載のバルブにおいて、前記バルブが、前記液滴チャンバに連結していることを特徴とするバルブ。
【請求項３３】
請求項１７に記載のバルブにおいて、前記バルブが、輸液コンテナの交換中に、輸液の液体の流れを妨げるように構成されていることを特徴とするバルブ。
【請求項３４】
認証ユニットによってトリガされると、輸液制御バルブを作動するように構成されている輸液バルブアクチュエータ。
【請求項３５】
請求項３４に記載のアクチュエータにおいて、前記アクチュエータが、前記認証ユニットによって遠隔的にトリガされると、前記バルブを作動するように構成されていることを特徴とするアクチュエータ。
【請求項３６】
請求項３４に記載のアクチュエータにおいて、機械的、電気的、電気機械的、磁気的手段、又はこれらの組み合わせによって、前記輸液制御バルブを作動するように構成されていることを特徴とするアクチュエータ。
【請求項３７】
請求項３４に記載のアクチュエータにおいて、前記輸液制御バルブが、キーシリンダを具えることを特徴とするアクチュエータ。
【請求項３８】
請求項３７に記載のアクチュエータにおいて、前記キーシリンダが、前記キーシリンダ内のキーの回転によってトリガされると、前記輸液の液体が流れるように構成されていることを特徴とするアクチュエータ。
【請求項３９】
請求項３４に記載のアクチュエータにおいて、前記バルブが、作動すると、前記輸液の液体が流れるように構成されていることを特徴とするアクチュエータ。
【請求項４０】
請求項３４に記載のアクチュエータにおいて、前記バルブが作動していないときは、前記バルブが前記輸液の液体の流れを妨げるように構成されていることを特徴とするアクチュエータ。
【請求項４１】
請求項３４に記載のアクチュエータにおいて、作動後に、前記バルブに接触し続けるように構成されていることを特徴とするアクチュエータ。
【請求項４２】
請求項３４に記載のアクチュエータにおいて、作動後に、前記バルブから離れるように構成されていることを特徴とするアクチュエータ。
【請求項４３】
請求項３５に記載のアクチュエータにおいて、遠隔的トリガが、ＩＲ、ＲＦ、超音波、又はこれらの組み合わせの手段を具えることを特徴とするアクチュエータ。
【請求項４４】
請求項３４に記載のアクチュエータにおいて、前記認証ユニットが、患者の詳細取得ユニット、液体の特性取得ユニット、前記詳細と前記特性の相関値を計算するように構成されている比較ユニット、及びバルブアクチュエータ制御ユニットを具えることを特徴とするアクチュエータ。
【請求項４５】
請求項４４に記載のアクチュエータにおいて、前記相関値が所定の閾値よりも大きい場合、前記アクチュエータが、前記バルブアクチュエータ制御ユニットによってトリガされるように構成されていることを特徴とするアクチュエータ。
【請求項４６】
輸液制御バルブを作動するように構成されている輸液バルブアクチュエータをトリガするステップを具えることを特徴とする輸液を送出するための方法。
【請求項４７】
請求項４６に記載の方法において、トリガが遠隔トリガであることを特徴とする方法。
【請求項４８】
請求項４６に記載の方法において、前記送出が、静脈内投与を具えることを特徴とする方法。
【請求項４９】
請求項４６に記載の方法において、前記送出が、非経口、硬膜外、髄腔内投与、又はこれらの任意の組み合わせを具えることを特徴とする方法。
【請求項５０】
請求項４６に記載の方法において、前記輸液が、生理食塩水、薬剤、医薬組成物、血液、血液製剤、血液成分、血漿、血漿誘導体、生物学的物質、高カロリー輸液（ＴＰＮ）、又はこれらの組み合わせを具えることを特徴とする方法。
【請求項５１】
請求項５０に記載の方法において、前記薬剤が、化学療法薬剤、抗生物質、麻酔、又はこれらの組み合わせを具えることを特徴とする方法。
【請求項５２】
請求項４６に記載の方法において、前記アクチュエータが、機械的、電気的、電気機械的、磁気的手段、又はこれらの任意の組み合わせによって、前記バルブを作動するように構成されていることを特徴とする方法。
【請求項５３】
請求項５２に記載の方法において、前記バルブが、キーシリンダを具えることを特徴とする方法。
【請求項５４】
請求項５３に記載の方法において、前記キーシリンダが、前記キーシリンダ内でのキーの回転によって作動すると、前記輸液の液体が流れるように構成されていることを特徴とする方法。
【請求項５５】
請求項４６に記載の方法において、前記バルブが、作動時に輸液の液体が流れるように構成されていることを特徴とする方法。
【請求項５６】
請求項４６に記載の方法において、前記バルブが作動していないとき、前記バルブが、前記輸液の液体の流れを妨げるように構成されていることを特徴とする方法。
【請求項５７】
請求項４６に記載の方法が、作動後に前記バルブから前記アクチュエータを取り外すステップを更に具えることを特徴とする方法。
【請求項５８】
請求項４６に記載の方法において、前記認証ユニットが、患者の詳細取得ユニット、液体の特性取得ユニット、前記詳細と前記特性の相関値を計算するように構成されている比較ユニット、及びバルブアクチュエータ制御ユニットを具えることを特徴とする方法。
【請求項５９】
請求項５８に記載の方法において、前記相関値が所定の閾値よりも大きい場合に、前記バルブアクチュエータ制御ユニットによってトリガされることを特徴とする方法。
【請求項６０】
請求項４６に記載の方法において、遠隔トリガステップが、ＩＲ、ＲＦ、超音波、又はこれらの任意の組み合わせの手段を用いるステップを具えることを特徴とする方法。
【発明の詳細な説明】
【技術分野】
【０００１】
本発明の分野
本開示は、バルブアクチュエータによって作動するように構成されている輸液制御バルブに関する。本開示は、更に、認証ユニットによって起動されたときに、輸液制御バルブを始動するように構成されている輸液制御バルブに関する。更に、本開示は、物質の投与方法に関する。
【０００２】
背景
薬物、ビタミン、医薬、液体等の静脈投与は、米国では、毎日の概算で１００万以上の輸液が、一般的な医療、治療、又は同様の健康又はライフスタイルに介入している。静脈投与される物質は、例えば、化学療法薬剤、抗生物質、麻酔、血液及び血液成分、ビタミン、ミネラル、液体（血液血漿、生理食塩水溶液等）、及び高カロリー輸液（ＴＰＮ）である。また、化学療法薬剤は、髄腔内経路によって投与されることもある。非経口経路で物質を投与するとき、安全性及び有効性に影響する重要な要素には、物質（薬剤、医薬組成物、血液、血液製剤、血液成分、血漿、血漿誘導体、抗生物質、高カロリー輸液等）、投与量、投与の速度、タイミング及び経路等を正しく認識することが含まれる。これらのパラメータの誤り、又は悪いこと−間違った患者への非経口薬剤の投与−は、いくつかの場合では、死亡を含む深刻な副作用をしばしば引き起こす。
【０００３】
その画期的な１９９９年のレポート−Ｔｏ  Ｅｒｒ  ｉｓ  Ｈｕｍａｎ：Ｂｕｉｌｄｉｎｇ  ａ  Ｓａｆｅｒ  Ｈｅａｌｔｈ  Ｓｙｓｔｅｍ  ｂｙ  Ｋｏｈｎ  ＬＴ，Ｃｏｒｒｉｇａｎ  ＪＭ，Ｄｏｎａｌｄｓｏｎ  ＭＳ，ｅｄｓ．Ｎａｔｉｏｎａｌ  Ａｃａｄｅｍｙ  Ｐｒｅｓｓ，Ｗａｓｈｉｎｇｔｏｎ，ＤＣで、参照により組み込まれているが、米国医学研究所は、現在、医療ミスによって、毎年５０，０００人以上の死者を出しており、これは米国の死因の第８番目であり、自動車事故、肺癌及びＡＩＤＳよりも多いということ示した。このような医療ミスのコストの総額は、１年当たり１７０から２９０億ドルと見積もられている。最も深刻で命を脅かす可能性のある副作用の６１％は、薬剤の静脈投与に関連するものであった。従って、静脈薬剤投与のミスは、一般的であり、静脈投与の事例のほぼ５０％で起こると報告された；これらのミスのほぼ１％は、潜在的に深刻であると考えられた（Ｔａｘｉｓ  Ｋ，Ｂａｒｂｅｒ  Ｎ．Ｅｔｈｎｏｇｒａｐｈｉｃ  ｓｔｕｄｙ  ｏｆ  ｉｎｃｉｄｅｎｃｅ  ａｎｄ  ｓｅｖｅｒｉｔｙ  ｏｆ  ｉｎｔｒａｖｅｎｏｕｓ  ｄｒｕｇ  ｅｒｒｏｒｓ．Ｂｒｉｔ  Ｊ  Ｍｅｄ  ３２６：６８４，２００３）。同様に、小児入院患者の静脈内（ＩＶ）投与ミスは、最大薬物有害事象の５４％の割合を占めた（Ｋａｕｓｈａｌ  Ｒ，Ｂａｔｅｓ  ＤＷ，Ｌａｎｄｒｉｇａｎ  Ｃ，ｅｔ  ａｌ．Ｍｅｄｉｃａｔｉｏｎ  ｅｒｒｏｒｓ  ａｎｄ  ａｄｖｅｒｓｅ  ｄｒｕｇ  ｅｖｅｎｔｓ  ｉｎ  ｐｅｄｉａｔｒｉｃ  ｉｎｐａｔｉｅｎｔｓ．ＪＡＭＡ  ２８５：２１１４−２１２０，２００１）。これらの大半は、静脈内投与の時に発生したミスと記載され、伝えられるところによれば、事実上、その全てが人的ミスに起因していた。
【０００４】
輸血は、通常の静脈内薬剤輸液よりも手間のかかる努力である。というのも、物質（血液又は血液成分）が投与される前に、患者の血液サンプルが、血液型に提供されなければならないからである。輸血で、ミスが頻繁に起こっていることが分かっている（Ｓａｚａｍａ  Ｋ．Ｒｅｐｏｒｔｓ  ｏｆ  ３５５  ｔｒａｎｓｆｕｓｉｏｎ−ａｓｓｏｃｉａｔｅｄ  ｄｅａｔｈｓ”１９７６−１９８５．Ｔｒａｎｓｆｕｓｉｏｎ  ３０：５８３−５９０，１９９０。参照によって本明細書に組み込まれる）。従って、Ｔｈｅ  Ｓｅｒｉｏｕｓ  Ｈａｚａｒｄｓ  ｏｆ  Ｔｒａｎｓｆｕｓｉｏｎ（ＳＨＯＴ）ｓｔｕｄｙ，Ｓｅｒｉｏｕｓ  Ｈａｚａｒｄｓ  ｏｆ  Ｔｒａｎｓｆｕｓｉｏｎ（ＳＨＯＴ），Ａｎｎｕａｌ  Ｒｅｐｏｒｔ，２００３は、参照によって本明細書に組み込まれているが、１９９６年から２００３年に英国で実施された輸血分野における１つの継続中の調査研究であり、ここでは、全ての深刻な危険のうちの６６％以上が、不正確な血液成分投与に起因していた（報告された２，１９１の深刻な事象のうち、１，４５１の事象）（Ｓｅｒｉｏｕｓ  Ｈａｚａｒｄｓ  ｏｆ  Ｔｒａｎｓｆｕｓｉｏｎ（ＳＨＯＴ），Ａｎｎｕａｌ  Ｒｅｐｏｒｔ，２００３、参照によって本明細書に組み込まれる）。別の研究である、Ｌｉｎｄｅｎ  ＪＶ，Ｗａｇｎｅｒ  Ｋ，Ｖｏｙｔｏｖｉｃｈ  ＡＥ，Ｓｈｅｅｈａｎ  Ｊ．Ｔｒａｎｓｆｕｓｉｏｎ  ｅｒｒｏｒｓ  ｉｎ  Ｎｅｗ  Ｙｏｒｋ  Ｓｔａｔｅでは、１０年間の経験が分析されている。１０年間に渡ってニューヨーク州での輸血ミスを再調査したＴｒａｎｓｆｕｓｉｏｎ  ４０：１２０７−１２１３，２０００は、参照によって本明細書に組み込まれているが、血液の誤投与は、１／１４，０００の輸血で起こることが分かった。米国で毎年投与されたと伝えられる約１２００万の輸血に関して、このことは、米国１国で、毎年、ほぼ１０００件の輸血ミスがあったことが推定される。この研究では、血液銀行外で起こったミスの約５０％は、通常患者のベッドサイドで生じており、９０％以上が、人的ミス（間違った患者への血液単位の投与等）によって起きていた。
【０００５】
概要
一の実施例では、本発明は、とりわけ、患者の詳細取得ユニット、液体の特性取得ユニット、前記詳細と前記特性の相関値を計算するように構成されている比較ユニット、及びこの相関値が所定の閾値（Ｖｔｈ）よりも大きい場合に、輸液バルブアクチュエータをトリガするように構成されているバルブアクチュエータ制御ユニットを提供する。
【０００６】
別の実施例では、本発明は、バルブアクチュエータによって作動するように構成されている輸液制御バルブを提供し、このバルブアクチュエータは、認証ユニットによってトリガするように構成されている。
【０００７】
別の実施例では、本発明は、認証ユニットによってトリガされると、輸液制御バルブが作動するように構成されている輸液バルブアクチュエータを提供する。
【０００８】
別の実施例では、本発明は、とりわけ、輸液制御バルブを作動するように構成されている輸液バルブアクチュエータをトリガするステップを含む輸液送出方法を提供する。
【０００９】
詳細な説明
完全な理解を提供するために、多数の特定の詳細が本明細書に記載されているが、しかしながら、本明細書に開示された特定の詳細なしで、本技術を実施することができることが、当業者に理解されるであろう。その他の場合、公知の方法、手順、構成、デバイス、システム、及び回路では、組み込まれている、又は関連しているか否か、参照されるのみであるか、或いは、さもなければ、本開示を分かりにくくしないように、詳細は記載されていない。
【００１０】
非経口薬剤投与におけるミスは一般的であり、罹患率及び死亡率の原因となっている。これらのミスは、人的関係及び経済的コストの両面にとって、医療制度に不必要で特別な負担を強いる。圧倒的多数のミスは、単純に修正可能な人的ミスによるものであり、又は、間違いを起こしやすい人間の手以外の非経口薬剤投与にある種の明確なタスクを与えることによって、少なくとも改善される。
【００１１】
いくつかの例示的な実施例によるデバイス、方法、及び／又はシステムを実施して、例えば、一又はそれ以上の（事前に選択した、閾値又は動的）基準に合致するまで、投与を制約することによって、薬剤、医薬等の物質の、非経口、静脈内等の投与における安全性を確保することができる。例えば、次の一又はそれ以上の事象が起こる、及び／又は検証されるまで、薬剤の非経口投与を制約することができる（例えば、機械的手段、磁気的連動装置、電気機械的ソレノイド、又は制約のためのその他の別の適切な手段を使用して）：
１．特定の患者用の医師の特定の処方が書かれ、コンピュータ又はその他の制御システムに入力された。
２．患者が受けようとしている物質を、例えば、含有量、投与量及び／又は投与時間等の正確性のために、例えば電気的に特定し、検証する。
３．患者を電気的に特定し、薬剤、及び／又はその個々の項目（例えば、投与量、その他の薬剤との順序、投与率、投与時間等）と「適合する」ことが分かる。
【００１２】
本発明の実施によれば、例えば、一又はそれ以上のこれらのパラメータが検証されると、作動デバイスが自動的に作動して、患者が非経口薬を受け取れる、閉じた遮断デバイス（「スマートバルブ」）を順に開く。逆に、遮断デバイスは、閉じた位置を保ち、例えば、輸液／輸血の対象とするレシピエントが間違った患者であり、及び／又は、薬剤の種類、投与量又はタイミングが不正確である場合に、患者は薬剤を受けることができない。この方法で、非経口薬剤投与の大多数で最も重篤なミスを防ぐことができる。
【００１３】
加えて、本発明のいくつかの例示的実施例によるシステム、方法、及び／又はデバイスを実施して、患者の非経口薬剤プログラムの全体的な長期間の管理に用いることができる情報を収集及び／又は保存することができる。これには、例えば、許容できる薬剤の投与量及びプロトコルのライブラリ、正確な薬剤投与履歴、各治療行為についての介護者の記録、薬剤副作用、及び／又はその他の重要情報及び記録が含まれる。これは、ミスを防ぐことにも役立ち、患者の経過を観察する点、及び将来の治療行為を計画する点で医療スタッフを支援することができる。
【００１４】
本発明のいくつかの例示的実施例によるデバイス、方法、及び／又はシステムは、一又はそれ以上の次の要素を含むことができ、例えば、輸液／輸血の安全性を保障することができる：
１．とりわけ、一又はそれ以上の次の要素を含むことができるデータ認証ユニット：
システムを含む情報と；
データ取得ユニット（とりわけ、患者の詳細取得ユニット、液体の特性取得ユニット、又はこれらの組み合わせを含む）と；
比較ユニット（認証システムとも呼ばれる）と；
バルブアクチュエータ制御ユニット。
２．輸液バルブアクチュエータ（輸液作動デバイス、又は「スマートアクチベータ」として参照することもできる）。
３．輸液制御バルブ（輸液遮断デバイス、又は「スマートバルブ」とも呼ばれる）。
【００１５】
データ認証ユニット
一の実施例では、本発明は、とりわけ、患者の詳細取得ユニットと、液体の特性取得ユニットと、前記詳細と前記特性の間の相関値を計算するように構成されている比較ユニットと、前記相関値が所定の閾値より大きい場合に、輸液バルブアクチュエータを始動させるように構成されているバルブアクチュエータ制御ユニットとを含む認証ユニットとを提供する。
【００１６】
別の実施例では、制御ユニットが、輸液バルブアクチュエータを遠隔的にトリガするようにする。
【００１７】
別の実施例では、患者の詳細は、とりわけ、患者の認識番号、患者の社会保障番号、年齢、性別、診断、患者に、アレルギを引き起こす物質、疾患、健康状態、起源、病歴、医師の指示、又はこれらの組み合わせを含むことができる。別の実施例では、患者の詳細は、とりわけ、投与の詳細を含む。別の実施例では、投与の詳細は、投与量、投与のタイミング、投与の率、その他の薬剤との投与の順番、又はこれらの任意の組み合わせを具える。
【００１８】
別の実施例では、液体の特性は、とりわけ、液体タイプ、内容物、量、意図する投与形態、体積、色、密度、濁度、逆の指示、又はこれらの任意の組み合わせを具える。
【００１９】
別の実施例では、液体は、とりわけ、生理食塩水、薬剤、医薬組成物、血液、血液製剤、血液成分、血漿、血漿誘導体、抗生物質、高カロリー輸液（ＴＰＮ）、又はこれらの任意の組み合わせを含むことができる。別の実施例では、薬剤は、とりわけ、化学療法薬剤、抗生物質、麻酔、又はこれらの任意の組み合わせを含むことができる。
【００２０】
本発明の一の実施例では、患者の詳細取得ユニットは、とりわけ、バーコード手段、ＲＦＩＤ、指紋認証、網膜認証、これらの任意の組み合わせ、又は認証のその他の適切な手段を含むことができる。
【００２１】
別の実施例では、液体の特性取得ユニットは、とりわけ、バーコード手段、ＲＦＩＤ、これらの任意の組み合わせ、又は認証のその他の適切な手段を含むことができる。
【００２２】
別の実施例では、認証ユニットは、ハンドヘルドコンピュータ、固定型パソコン、又はこれらの組み合わせに設置することができる。別の実施例では、本発明に関する全てのデータはキーのディスクに貯蔵することができる。
【００２３】
別の実施例では、比較ユニットは、とりわけ、処理ユニットを含む。
【００２４】
別の実施例では、用語、遠隔的トリガ（ｒｅｍｏｔｅｌｙ  ｔｒｉｇｇｅｒ）、遠隔的にトリガする（ｒｅｍｏｔｅｌｙ  ｔｒｉｇｇｅｒｉｎｇ）、遠隔的にトリガした（ｒｅｍｏｔｅｌｙ  ｔｒｉｇｇｅｒｅｄ）は、とりわけ、ＩＲ（赤外線）、ＲＦ（無線周波数）、超音波、これらの任意の組み合わせ、又は遠隔的トリガのあらゆる手段を含む。別の実施例では、ブルートゥースを用いて、遠隔的トリガを行うことができる。
【００２５】
別の実施例では、バルブアクチュエータは、アクチュエータ制御ユニットによるトリガ時に輸液制御バルブを作動するように構成されている。
【００２６】
本発明のいくつかの例示の実施例によって、図１は、データ取得及びシステムを含む情報の一部を示す。医師は、特定の患者に対する指示をコンピュータに入力することができる。コンピュータは、標準形式、ハンドヘルドデバイス、又は同様の機能の別の電子デバイスであってよい。コンピュータは、例えば、バーコードで読み取り可能な番号等の患者固有の識別子を有する、又は受信することができる。この番号は、社会保障番号や識別番号、又は別の固有の識別子であってよい。加えて、必ずしも限定はされないが、誕生日、性別、診断、及び過去の病歴等のその他の基礎的な患者情報を、情報システム中に見出すことができる。
【００２７】
本発明のいくつかの例示の実施例によれば、非経口輸液、及び／又は、輸血について、医師は、投与すべき医薬、投与量、日付、時間、投与経路及び間隔、及び（必要であれば）投与の順番を入力することができる。また、情報システムは、医師が適切に自分の指示を入力したことを確実にするために、受領したプロトコル及び投与量のライブラリを具えていてもよい。本発明の実施例によれば、医師の薬剤の指示は、図１に示すようなハンドヘルドデバイスに転送することができる。
【００２８】
本発明のいくつかの例示の実施例によって、図２は、患者の認証システムの一部を示す。本発明のいくつかの例示の実施例による患者の認証。図では、ハンドヘルドデバイスを用いて、患者のリストバンドをスキャンし、例えば、輸液又は輸血を投与する準備ができている場合に、どの患者が治療を受けるのかを認証する。この図では、バーコード認証システムが示されているが、本発明は、バーコードの読み取りのみに限定されず、別の認証方法を用いることができる。
【００２９】
患者の識別子（例えば、バーコード又はＲＦＩＤタグ）は、入院中又は予定した輸液又は輸血前の他の時間に手首に取り付けることができる。いくつかの環境では、情報システムが、患者に取り付ける固有の識別子を作ることができる。加えて、又は代替的に、指紋、網膜スキャン、又はその他の適切な識別子等の固有の患者識別子を同様に用いることができる。
【００３０】
患者が一旦識別されると、投与すべき薬剤が、輸液バッグをスキャンすることによって、同様に識別される。これは、本発明のいくつかの例示の実施例によって、図３に示されている。スキャンは、バッグに入っている医薬及び投与量を識別することができ、輸液を準備する人によって付け加えられる可能性がある。図３には、バーコード認証システムが示されているが、その他の情報法も用いることができる。この認証を実施して、患者と投与される薬剤を関連付ける。情報は、ハンドヘルドデバイスに戻され、特定の患者が、例えば、患者と医薬の双方をスキャンした後に、この投与量でこの時間に、特定の医薬を得ることになることが確実になる。例えば、スキャン情報を伴うコンピュータ内の情報を、例えば電気的にチェックすることによって、これを実施することができる。
【００３１】
輸液バルブアクチュエータ（輸液作動デバイス又は「スマートアクチベータ」）
一の実施例では、本発明は、認証ユニットによるトリガ時に、輸液制御バルブを作動するように構成されている輸液バルブアクチュエータを提供する。
【００３２】
別の実施例では、アクチュエータは、認証ユニットによる遠隔的トリガ時にバルブを作動するように構成されている。
【００３３】
別の実施例では、輸液バルブアクチュエータは、機械的、電気的、電気機械的、磁気的手段、又はこれらの任意の組み合わせによって、輸液制御バルブを作動するように構成されている。別の実施例では、輸液バルブアクチュエータは、輸液制御バルブを遠隔的にトリガするように構成することができる。
【００３４】
別の実施例では、輸液バルブは、作動すると、輸液の液体が流れるように構成することができる。別の実施例では、輸液バルブは、バルブが作動していないときは、輸液の液体の流れを妨げるように構成することができる。
【００３５】
別の実施例では、輸液バルブは、とりわけ、キーシリンダを具えている。
【００３６】
別の実施例では、キーシリンダは、キーシリンダ内でキーの回転によって作動すると、輸液の液体が流れるように構成されている。
【００３７】
別の実施例では、輸液バルブアクチュエータは、作動後にバルブに接触し続けるように構成することができる。別の実施例では、輸液バルブアクチュエータは、作動後にバルブから切り離すように構成することができる。
【００３８】
別の実施例では、認証ユニットは、とりわけ、患者の詳細取得ユニットと、液体の特性取得ユニットと、前記詳細と前記特性の間の相関値を計算するように構成されている比較ユニットと、前記相関値が所定の閾値より大きい場合に、輸液バルブアクチュエータをトリガするように構成されているバルブアクチュエータ制御ユニットとを具える。
【００３９】
図４及び図５は、本発明のいくつかの例示の実施例による輸液バルブアクチュエータ（輸液作動デバイス）及びその機能を示す。情報システムは、例えば、患者の認証及び医師の指示をチェックした後に、例えば、作動デバイスに対する指示を電気的に送信することができる。このデバイスは、以下に記載されるように、一又はそれ以上の前回の動作に基づいて、遮断デバイスを開く、又は開かないようにプログラムされるように、例えば、電気的に指示を受ける。
【００４０】
本発明のいくつかの例示の実施例によれば、作動デバイスは、再利用でき、薬剤投与が安全であると考えられる場合に、輸液又は輸血が行われる、及び／又は、遮断デバイスを開くように「指示する」かどうかに関する情報を受けることができる。図４は、作動デバイスが作動して、遮断デバイスを開くための情報を受け取ったことを意味する。ここで、このデバイスは、遮断デバイスを開くように指示して、輸液を開始することを可能にする。輸液が始まると、作動デバイスは、この患者又はその他の患者に更に用いるために取り外される。
【００４１】
図において、作動デバイスは、個々の「スマートカード」として示されているが、その他のデバイスを、同様に用いることができる。更に、作動デバイスは、ハンドヘルドコンピュータの一部であって、個々のデバイスではないもの等の、情報システムに一体化した部分であってよい。
【００４２】
いくつかの例示の実施例によれば、作動デバイスは、「オーバーライド」機能を有することができる。これは、データ入力又は認証なしに、輸液が必要な、例えば、緊急事態（例えば、急性の大量出血）で使用することができる。
【００４３】
輸液制御バルブ（遮断デバイス、「スマートバルブ」）
別の実施例では、本発明は、バルブアクチュエータによって作動するように構成されている輸液制御バルブを提供する。ここで、バルブアクチュエータは、認証ユニットによってトリガするように構成されている。別の実施例では、本発明は、バルブアクチュエータによって作動するように構成されている輸液制御バルブを提供しており、このバルブアクチュエータは、認証ユニットによって、遠隔的にトリガするようにする。
【００４４】
別の実施例では、バルブは、作動すると、輸液の液体が流れるように構成されている。別の実施例では、バルブが作動しないときには、バルブが、輸液の液体の流れを妨げるように構成されている。
【００４５】
別の実施例では、バルブは、とりわけ、キーシリンダを具えている。別の実施例では、キーシリンダは、キーシリンダ内のキーの回転によって作動すると、輸液の液体が流れるように構成されている。
【００４６】
別の実施例では、輸液バルブは、機械的、電気的、電気機械的、磁気的手段、又はこれらの任意の組み合わせによって、バルブアクチュエータによって作動するようにする。別の実施例では、輸液バルブは、輸液バルブアクチュエータによって遠隔的作動されるように構成されている。
【００４７】
別の実施例では、バルブは使い捨てにしてもよい。別の実施例では、バルブは、重合材料からのみ作ることができる。別の実施例では、バルブは、再利用可能である。別の実施例では、バルブは、液体経路の外側に設置することができる。別の実施例では、バルブは、液滴チャンバ上に設置することができる。別の実施例では、バルブは、液滴チャンバの下側に設置することができる。別の実施例では、バルブは、液滴チャンバに接続することができる。別の実施例では、バルブは、液滴チャンバ上に取り付けることができる。別の実施例では、バルブは、輸液バッグとポンプの間に装填することができる。別の実施例では、液チャンバは、ここで「スパイク」と呼ばれる。
【００４８】
別の実施例では、バルブは、輸液コンテナを交換する間、輸液の液体の流れを妨げるように構成することができる。別の実施例では、バルブは、輸液コンテナの交換中にバルブ上に外圧を適用すると、バルブシールをシールすることによって、輸液コンテナの交換中の輸液の液体の流れを妨げるように構成することができる。別の実施例では、バルブ又は作動デバイスは、とりわけ、液滴チャンバ中の輸液液滴の数を数えるように構成されているカウンタを、更に具えることができる。
【００４９】
いくつかの例示の実施例による遮断デバイス（バルブ）及び作動デバイス（バルブアクチュエータ）が、図３、４、及び５に示されている。図３及び４では、バルブは、「閉じた」位置に示されており、輸液バッグ内の溶液を、患者に投与することはできない。図３は、遮断デバイスに近接して配置された作動デバイスを示す。図４は、作動デバイスを作動させる、即ち、輸液／輸血を進める信号が与えられたことを示す。図５は、開放位置にある遮断デバイス、及び、薬剤が患者に投与されていることを示す。単一輸液が完了すると、同じ治療行為用に輸液を換える場合に、このデバイスを何度も再利用することができる。各バッグの交換後に、遮断デバイスは、作動デバイスの作動を促すステップを繰り返すことによって、再び開かれる。
【００５０】
遮断デバイスは、輸液の液体経路の外側又は内側にあってよい。輸液セットの液滴チャンバ上にあるように図３、４、５には示されているが、輸液配線上、又は輸液配線内、又は輸液バッグ上のその他の配置、又は配置の組み合わせは、全て可能である。
【００５１】
ここに示す図では、遮断デバイスの３つの可能な非限定例を、詳細に示す。本発明は、これらのデバイスの１つ又は全てのデバイス、又は上記の１つ又はそれ以上の機能を実行するその他のデバイスを用いることができる。
【００５２】
本発明の実施例による選択肢１は、輸液キット、特に液滴チャンバに一体化された遮断デバイスを提供する。本発明の一の実施例では、遮断デバイスの構成要素の軸方向の動きが、液体経路を開いたり閉じたりする。別の実施例では、輸液キット液滴チャンバを輸液バッグに挿入すると、この構成要素が軸方向に動き、遮断デバイスが自動的に閉じる。別の実施例では、「キー」を用いて、遮断デバイスを開く。別の実施例では、キーが作動デバイスの一部であってよい。別の実施例では、キーを、例えば、緊急事態で、手動のオーバーライドキーとして用いることができる。別の実施例では、遮断デバイス中のキーの回転動作によって、これを開ける。本発明のいくつかの例示の実施例による遮断デバイスの選択肢１を、図６から１３で示すことができる。
【００５３】
図６は、いくつかの例示の実施例による遮断デバイス（１０１）を示しており、これは、キー（１０２）によって作動させる、又は手動で開閉する。遮断デバイス（１０１）は、液滴チャンバ（１０３）の一体化した部分として構成されている。
【００５４】
図７は、いくつかの例示の実施例による、輸液バッグ中を通るように設計したスパイク（２０１）と、キーによって作動する、又は手動で開閉するように構成されているキーホール（２０２）を有する遮断デバイス（１０１）を示す。遮断デバイス（１０１）は、液滴チャンバ（１０３）の一体化した部分として設計されている。
【００５５】
図８は、いくつかの例示の実施例による、輸液の液体（３０３）が通過する輸液バッグ（１０４）中を通るように設計したスパイク（２０１）を有する遮断デバイス（１０１）の断面を示す。遮断デバイス（１０１）は、閉じた位置にあるブロック素子（３０２）の位置を変えて、開いた位置、及び閉じた位置にある場合に、輸液の液体（３０３）が流れる、又は流れないように構成されているロッキング素子（３０１）を具える。バルブシール（３０４）は、液体が漏れないように構成されている。キー（１０２）は、キーホール（２０２）に挿入され、キーホール内でまだ回転していない。
【００５６】
図９は、いくつかの例示の実施例による、輸液の液体（３０３）が通過する輸液バッグ（１０４）中を通るように設計したスパイク（２０１）を有する遮断デバイス（１０１）の断面を示す。ここで、キー（１０２）は、（図９に示されるその位置と比較して）回転し始めているが、ロッキング素子（３０１）は、その位置を変えず、ブロック素子（３０２）は依然として閉じている。
【００５７】
図１０は、いくつかの例示の実施例による、輸液の液体（３０３）が通過する輸液バッグ（１０４）中を通るように設計したスパイク（２０１）を有する遮断デバイス（１０１）の断面を示す。キー（１０２）は、（図９に示されるその位置と比較して）回転し続けており、ブロック素子（３０１）に圧力をかけて押す。ブロック素子（３０２）は依然として閉じている。
【００５８】
図１１は、いくつかの例示の実施例による、輸液の液体（３０３）が通過する輸液バッグ（１０４）中を通るように設計したスパイク（２０１）を有する遮断デバイス（１０１）の断面を示す。キー（１０２）は、（図１０に示されるその位置と比較して）続いて回転しており、ロッキング素子（３０１）を、曲げてその位置を変えて、これによって、ブロック素子（３０２）を開き、輸液の液体（３０３）が液滴チャンバ（１０３）に流れる。
【００５９】
図１２は、図１１に記載された要素に加えて、いくつかの例示の実施例による、キーホール（２０２）に対するキー（１０２）の位置を示す。キー（１０２）を外して、遮断デバイスを開いた位置のままにしておくことができる。
【００６０】
図１３は、いくつかの例示の実施例によるキー（１０２）を示す。
【００６１】
本発明の実施例による選択肢２は、「インライン」バルブである遮断デバイスを提供する。別の実施例によれば、遮断デバイスを、標準輸液キットと共に用いることができる。別の実施例によれば、遮断デバイスの一端を、輸液バッグに連結し、他端を、輸液キットに連結することができる。本発明のいくつかの実施例によれば、このバルブの作動原理は、選択肢１の作動原理に類似している。本発明のいくつかの例示の実施例による遮断デバイスの選択肢２は、図１４から１６に示されている。
【００６２】
図１４は、本発明のいくつかの実施例による、遮断デバイス（４０１）と一体化することができる連結素子（４０３）を連結することによって、輸液バッグ（１０４）に一端を、液滴チャンバ（４０２）に対して他端を連結する遮断デバイスを示す。この遮断デバイスをキー（１０２）で作動する、又はキーによって手動で開閉することができる。
【００６３】
図１５は、いくつかの例示の実施例による、輸液の液体（３０３）が通過する輸液バッグ（１０４）中を通るように設計したスパイク（４０１）を一端に有し、液滴チャンバ（４０２）に連結するように設計した連結素子（４０３）を他端に有する遮断デバイス（４０１）の断面を示す。遮断デバイス（４０１）は、閉じた位置にあるブロック素子（４０６）の位置を変えるように構成されているロック素子（４０５）を具え、ブロック素子が、開いた位置、及び閉じた位置にある場合に、輸液の液体（３０３）が流れたり、流れなかったりするように構成されている。バルブシール（４０７）は、液体が漏れることを防ぐように構成されている。キー（１０２）は、選択肢１に記載された方法と同様の方法で、挿入及びトリガすることができる。
【００６４】
本発明の実施例による選択肢３は、輸液ラインを「狭窄する」ことによって流体の流れをブロックするように構成されている遮断デバイスを提供する。本発明の一の実施例によって、遮断デバイスは、輸液キット上のアドオン方式であってよい。別の実施例では、バルブの外部に対する、液滴チャンバの軸方向の動きが、流体の流れを閉じる。別の実施例では、輸液バッグ内へスパイクを挿入すると、バルブの構成部品が軸方向に動き、バルブが自動的に閉じる。別の実施例では、キーを用いて、バルブを開けることができる。本発明のいくつかの実施例による、遮断デバイスの選択肢３を、図１７から図１８に示す。
【００６５】
図１６は、いくつかの実施例による、輸液バッグ（１０４）を有する標準輸液キット、液滴チャンバ（４０２）、及び液滴ライン（５０１）を示す。
【００６６】
図１７は、いくつかの実施例による、液滴チャンバ（４０２）上に設置し、キー（１０２）によって操作することができる狭窄機構（５０３）を有する遮断デバイスを示す。この狭窄機構は輸液ライン（５０１）を狭窄して、液体の流れをブロックする。
【００６７】
別の実施例では、本発明は、とりわけ、輸液制御バルブを作動するように構成されている輸液バルブアクチュエータをトリガするステップを含む輸液送出方法を提供する。別の実施例では、本発明は、とりわけ、輸液制御バルブを作動するように構成されている輸液バルブアクチュエータを遠隔的にトリガするステップを含む輸液送出方法を提供する。
【００６８】
別の実施例では、この送出には、とりわけ、静脈投与が含まれる。別の実施例では、この送出には、とりわけ、非経口投与が含まれる。別の実施例では、この送出には、とりわけ、硬膜外投与が含まれる。別の実施例では、この送出には、とりわけ、髄腔内投与が含まれる。別の実施例では、この送出には、物質を、投与に先立って識別することが必要である任意の物質の投与形態が含まれる。
【００６９】
別の実施例では、本方法は、とりわけ、作動後にバルブからアクチュエータを取り外すステップを更に含む。
【００７０】
図１８及び１９は、本発明のいくつかの実施例によるフローチャートを記載する。
【００７１】
図１８は、いくつかの実施例による方法のフローチャートを示す。患者及び投与した液体に関するデータを得ることができ、データセット間の相関分析を行って相関値を得ることができる。この相関値が所定の閾値（Ｖｔｈ）より大きい場合、バルブアクチュエータがトリガされる。バルブアクチュエータは、最初に閉じた位置にあったバルブを開ける。前記相関値が所定の閾値（Ｖｔｈ）より小さい場合は、バルブアクチュエータはトリガされない。
【００７２】
図１９は、いくつかの実施例による方法のフローチャートを示す。医師から得たデータをロードして、選択的にハンドヘルドコンピュータに転送する。患者及び投与した液体に関するデータをスキャンして、データセット間の相関分析を行い、合致を得る。合致がなければ、修正を行う（例えば、輸液を正しい輸液に交換する、又は別の患者に行く）。合致があれば、その結果を表示し、スマートアクチベータ（バルブアクチュエータ）をバルブに連結して、バルブを開ける。投与タイマを開始する。タイマが終了したら、リセットする。輸液バッグを取り除く、又は交換する（スパイクを取り外すことによって）場合、バルブは、自動的に閉じられ、薬剤が再スキャンされる。スマートアクチベータは、バルブから取り外すか、又はそのままにしておいてもよい。バルブアクチュエータがトリガされる。バルブアクチュエータは、最初は閉じた位置であったバルブを開ける。相関値が所定の閾値（Ｖｔｈ）よりも小さい場合、バルブアクチュエータはトリガされない。
【００７３】
本発明の一の実施例では、用語「輸液」は、対象に投与するのに適応した任意の物質として定義することができる。別の実施例では、物質は液体であってよい。別の実施例では、この物質は粒子を含んでいてもよい。別の実施例では、この物質はジェルを含む。別の実施例では、輸液は静脈投与用に構成されている。別の実施例では、輸液は非経口投与用に構成されている。別の実施例では、輸液は硬膜外投与用に構成されている。別の実施例では、輸液は髄腔内投与用に構成されている。別の実施例では、輸液は、物質が投与に先立って認識される必要がある任意の物質の任意の投与形態に構成されている。別の実施例では、輸液の用語は輸血を含む。
【００７４】
別の実施例では、ここで述べられる輸液の用語は、とりわけ、生理食塩水、薬剤、医薬組成物、血液、血液製剤、血液成分、血漿、血漿誘導体、生物学的物質、高カロリー輸液（ＴＰＮ）、これらの任意の組み合わせ、又は対象に投与できるように構成されている任意のその他の物質を含んでもよい。別の実施例では、薬剤は、とりわけ、化学療法薬剤、抗生物質、麻酔、これらの任意の組み合わせ、又は対象に投与できるように構成されている任意のその他の組み合わせを含んでもよい。
【００７５】
本発明の一の実施例では、用語「輸液」は、液滴輸液のことをいう。別の実施例では、用語「液滴輸液」は、重力輸液をいう。別の実施例では、用語「重力輸液」は、重力によって液体が流れる輸液のことをいう。別の実施例では、「輸液」は、非揚水輸液のことをいう。別の実施例では、「輸液」は、揚水輸液のことをいう。本発明の一の実施例では、用語「作動する」は、あらゆるタイプの別の素子の作動のことをいう。別の実施例では、用語「作動する」は、開くことをいう。
【００７６】
本発明の一の実施例では、用語「バルブ」は、開閉することができる任意の装置のことをいう。別の実施例では、バルブは、一以上の流量を可能にするように構成されている。
【００７７】
本発明の一の実施例では、本発明による用語「輸液制御バルブ」は、また、「遮断デバイス」又は「スマートバルブ」のことをいう。
【００７８】
本発明の一の実施例では、用語「キー」は、機械的、電気的、電気機械的、磁気的、電気磁気的、又はその他の適切な方法によって、バルブの開閉を誘引するように構成されている装置のことをいう。
【００７９】
本発明の一の実施例では、用語「輸液バルブアクチュエータ」は、また、輸液起動デバイス、又は「スマートアクチベータ」のことをいう。
【００８０】
本発明のある特徴を、ここで例示し、記載しているが、多くの改良、置換、変更、及び均等を、当業者は考えつくことができる。従って、添付の特許請求の範囲は、本発明の正しい精神に含まれるような修正及び変更全ての範囲に及ぶことが意図されると理解される。
【図面の簡単な説明】
【００８１】
【図１】図１は、本発明の実施例による、基本的な情報システムを図式的に示す。
【図２】図２は、本発明の実施例による、基本的な情報システムを図式的に示す。
【図３】図３は、本発明の実施例による起動デバイス（「スマートカード」）の動作と、液滴チャンバ上に設置した（閉じた位置にある）バルブと、輸液バッグを図式的に示す。
【図４】図４は、本発明の実施例により、起動デバイスが、ハンドヘルドコンピュータによる起動デバイスのトリガを示す。この起動デバイスは、バルブに連結されている。
【図５】図５は、本発明の実施例による、輸液を流すバルブの起動後の、起動デバイスの取り外しを図式的に示す。
【図６】図６は、本発明の実施例による遮断デバイスを示す。
【図７】図７は、本発明の実施例による遮断デバイスを示す。
【図８】図８は、本発明の実施例による遮断デバイスの断面を示す。
【図９】図９は、本発明の実施例による遮断デバイスの断面を示す。
【図１０】図１０は、本発明の実施例による遮断デバイスの断面を示す。
【図１１】図１１は、本発明の実施例による遮断デバイスの断面を示す。
【図１２】図１２は、本発明の実施例による遮断デバイスの断面を示す。
【図１３】図１３は、本発明の実施例によるキーを示す。
【図１４】図１４は、本発明の実施例による遮断デバイスを示す。
【図１５】図１５は、本発明の実施例による遮断デバイスの断面を示す。
【図１６】図１６は、典型的な輸液キットを示す。
【図１７】図１７は、本発明の実施例によるアドオン遮断デバイスを示す。
【図１８】図１８は、本発明の実施例による方法のフローチャートを示す。
【図１９】図１９は、本発明の実施例による方法のフローチャートを示す。
【図１】
2008517646.tif 000003
【図２】
2008517646.tif 000004
【図３】
2008517646.tif 000005
【図４】
2008517646.tif 000006
【図５】
2008517646.tif 000007
【図６】
2008517646.tif 000008
【図７】
2008517646.tif 000009
【図８】
2008517646.tif 000010
【図９】
2008517646.tif 000011
【図１０】
2008517646.tif 000012
【図１１】
2008517646.tif 000013
【図１２】
2008517646.tif 000014
【図１３】
2008517646.tif 000015
【図１４】
2008517646.tif 000016
【図１５】
2008517646.tif 000017
【図１６】
2008517646.tif 000018
【図１７】
2008517646.tif 000019
【図１８】
2008517646.tif 000020
【図１９】
2008517646.tif 000021